(57)【要約】【技術課題】  シール性能に優れ、簡単に取り外して洗浄を行い、常に清潔に用いることができる容器を提供する。【解決手段】  容器本体１の上口縁３の外周面に係合凹部４を形成し、パッキン６には、逆Ｕ字状の嵌合溝７が形成されている。またパッキン６の内周壁９の下端の裏側には、傾斜面１１が形成され、外周壁８の下端の裏側には、前記係合凹部４に係合する係合凸部１０が形成されている。そして、キャップ１２のスカート部１３の内側には、一定の間隔をあけてシール壁１６が形成されていて、このシール壁１６の裏側には、前記パッキン６の内周壁９の表面に密着する密着面１６ａが形成されていると共に、スカート部１３とシール壁１６に挟まれた断面Ｕ字状の上口縁３の嵌合部の天壁シール面１９には、前記パッキン６の上端面６ａが密着する。パッキン６等を洗浄する際は上口縁３からパッキン６を取り外して行う。【選択図】        図  １
0003115661.tif 000002
【実用新案登録請求の範囲】
【請求項１】
容器本体の上口縁の外周面には、浅くなだらかな係合凹部が周状に形成されていること、
パッキンはリング状を呈し、且つその断面は内周壁と外周壁により逆Ｕ字状に形成されていて、この内周壁と外周壁間には前記容器の上口縁が入る嵌合溝が形成され、更に前記内周壁の前記嵌合溝の入口には、傾斜面が形成され、前記外周壁の前記嵌合溝内には、前記容器本体の上口縁に形成された係合凹部に係合するなだらかな盛り上がりから成る係合凸部が周状形成されていて、前記上口縁に前記嵌合溝を上から被せるようにして装着自在であること、
前記容器本体の上口縁に被冠されるキャップには、スカート部の内側にスカート部の内面との間に一定の空間をあけて下向きのシール壁が環状に形成されていて、このシール壁の裏側の下端に近い位置には、前記パッキンの内周壁の表面に密着する密着面が形成されていると共に、このシール壁の裏側の下端面にはガイド用の傾斜面が形成され、更に前記スカート部とシール壁に挟まれた断面Ｕ字状の空間部の天壁面には、前記パッキンの上端面が密着する天壁シール面が形成されていること、
を特徴とするシール性と清潔性に優れた容器。
【請求項２】
前記係合凹部は、パッキン側に形成され、係合凸部は、容器本体側に形成されていることを特徴とする請求項１に記載の容器。
【請求項３】
前記パッキンにおいて、内周壁の下端は、外周壁の下端よりも下方に少し長く形成されていること、を特徴とする請求項１に記載の容器。
【請求項４】
前記キャップは、前記容器本体の上口縁の外側であって、パッキンが装着される部分より下位において、容器本体との間においてスクリューねじにより開閉自在に取り付けられること、を特徴とする請求項１又は２又は３に記載の容器。
【請求項５】
前記容器は、容器本体内において、飲料をシェイクするシェーカーとして用いられること、を特徴とする請求項１又は２又は３又は４に記載の容器。
【考案の詳細な説明】
【技術分野】
【０００１】
本考案は、シール性に優れ、かつ汚れたときには簡単に取り外して洗浄を行うことにより、常に清潔性を保つことができるパッキンとシール構造を持った容器に関するものである。
【背景技術】
【０００２】
容器において、水密性あるいは気密性を担保するために、容器本体とキャップ間には、通常ゴム製のパッキンが組み込まれている。最も典型的な例は、キャップの内側に円板状のパッキンを一体に組み付けておき、容器本体にキャップを締め付けたときに、この円板状のパッキンに容器本体側の上口縁が密着し、これにより水密性と気密性を担保する例である。
また、水密性と気密性をより高めるために、特開平１０−２８２０９３号公報には、円板状のパッキンの周囲に下向き逆Ｕ字状の溝を形成しておき、キャップを閉じたときに、この溝内に容器本体側の上口縁が下方から嵌合することにより、シール性能を向上させるパッキンが開示されている。
【０００３】
しかし、この公知例においては、パッキンはキャップの内側に一体に嵌め込まれており、取り外しを前提としていないため、パッキン自体が汚れたり、パッキンの裏側に内容物が侵入したりした場合に、簡単に取り外して洗浄したりできないばかりか、これに気付かないことが多く、これらの欠点は、特に食品を容れてその都度キャップを開けて食べる食品等の場合には、知らず知らずのうちにパッキン部分に汚れが付着して衛生上好ましくない。
【０００４】
上記公知例と同様のパッキンとしては、特開２００１−１３０５１８号公報に掲載されたものが公知であるが、これも上記公知例と同様の欠点がある。
そこで、円板状を呈さず、リング状を呈したパッキンが特開平７−１２５７６１号公報及び特開平１１−１５４６９９号に掲載されている。
しかし、この２つの公知例の場合も、パッキンを取り外して洗浄を行うことを前提としたものでないばかりか、シール性はそれ程高くない。
【考案の開示】
【考案が解決しようとする課題】
【０００５】
本考案の目的は、叙上の如き公知例が持つ欠点を改善してシール性能の向上に併せて、簡単に取り外して洗浄し、常に清潔な状態で使用可能なパッキンを装着した容器を提供することである。
【課題を解決するための手段】
【０００６】
上記目的を達成するため、請求項１に記載の考案においては、シール性と清潔性に優れた容器において、  容器本体の上口縁の外周面には、浅くなだらかな係合凹部が周状に形成されていること、
パッキンはリング状を呈し、且つその断面は内周壁と外周壁により逆Ｕ字状に形成されていて、この内周壁と外周壁間には前記容器の上口縁が入る嵌合溝が形成され、更に前記内周壁の前記嵌合溝の入口には、傾斜面が形成され、前記外周壁の前記嵌合溝内には、前記容器本体の上口縁に形成された係合凹部に係合するなだらかな盛り上がりから成る係合凸部が周状形成されていて、前記上口縁に前記嵌合溝を上から被せるようにして装着自在であること、
前記容器本体の上口縁に被冠されるキャップには、スカート部の内側にスカート部の内面との間に一定の空間をあけて下向きのシール壁が環状に形成されていて、このシール壁の裏側の下端に近い位置には、前記パッキンの内周壁の表面に密着する密着面が形成されていると共に、このシール壁の裏側の下端面にはガイド用の傾斜面が形成され、更に前記スカート部とシール壁に挟まれた断面Ｕ字状の空間部の天壁面には、前記パッキンの上端面が密着する天壁シール面が形成されていること、
を特徴とするものである。
【０００７】
更に、請求項２に記載の考案においては、請求項１に記載の容器において、前記係合凹部は、パッキン側に形成され、係合凸部は、容器本体側に形成されていることを特徴とするものである。
【０００８】
更に、請求項３に記載の考案においては、前記パッキンにおいて、内周壁の下端は、外周壁の下端よりも下方に少し長く形成されていること、を特徴とするものである。
【０００９】
更に、請求項４に記載の考案においては、請求項１又は２又は３に記載の容器において、前記キャップは、前記容器本体の上口縁の外側であって、パッキンが装着される部分より下位において、容器本体との間においてスクリューねじにより開閉自在に取り付けられること、を特徴とするものである。
【００１０】
更に、請求項５に記載の考案においては、前記容器は、容器本体内において、飲料をシェイクするシェーカーとして用いられること、を特徴とするものである。
【００１１】
［作用］
パッキンは、容器本体の上口縁に被せるようにして装着し、上口縁側の係合凹部又は係合凸部にキャップ側の係合凸部又は係合凹部を係合させることにより固定する。キャップを閉じる際、例えばスクリューねじを締め付けると、この締め付けに際し、キャップ側のシール壁がパッキンの内周壁面の表面に沿って下降し、やがてキャップ側の天壁シール面にパッキン側の上端面が密着する。
この状態により、キャップと容器本体は完全にシール状態となる。
【００１２】
次に、キャップを開ける場合には、キャップを回転してスクリューねじを弛めると、キャップ側のシール壁がパッキン側の内周壁面に沿って摺り上がり、天壁シール面がパッキンの上端面から離れる。このとき、パッキンは容器本体の上口縁に嵌合されたまま残る。
パッキンを洗浄する場合には、パッキンの内周壁の下端に指先を掛け、めくるようにして上方に引き上げると、パッキン側の係合凸部又は係合凹部と容器本体側の係合凹部又は係合凸部の係合が外れ、パッキンの柔軟性も手伝って、容易に取り外すことができる。この結果、パッキン及び容器本体、キャップは、バラバラにして洗浄を行うことができる。
【考案の効果】
【００１３】
本考案は以上のように、容器本体の上口縁に断面逆Ｕ字リング状のパッキンを着脱自在に装着し、このパッキンで容器本体とキャップ間の完全シールを行うことができる。また、パッキンを容器本体側の上口縁から取り外すだけで、簡単にバラして洗浄等を行うことができるので、常時清潔を保つことができる。よって、特に食品類の容器を容れたり、シェーカーとして用いる容器において有効である（請求項１乃至請求項５）。
また、請求項３に記載の考案の場合、内周壁の下端を外周壁側より少し長く形成したことにより、パッキンを装着するとき、この外周壁が上口縁の内周面に先に入って下降するため、ほぼワンタッチで装着が可能である。
【００１４】
また、請求項４に記載の考案の場合、スクリューねじでキャップを閉じることにより、パッキンでのシール性能は格段に向上する。但し、本考案は、スクリューねじ以外のキャップ閉め機構にも適用可能である。
また、請求項５に記載の考案によると、シェーク時に内容物がパッキンのところに付着したりするケースが多いため、本考案のようにパッキンを取り外して洗浄することができるようにすると、シェーカーにおいて、清潔性を常時保つことができる。
【実施例】
【００１５】
図１乃至図７に基づいて本考案の実施例を詳細に説明する。図１は、本考案に係るパッキンを装着したシェーカーの断面図、図２は容器本体とキャップ及びパッキンの取り付け状態を示す説明図、図３はパッキンの平面図、図４はパッキンの下面図、図５はＡ−Ａ´線断面図、図６は容器本体の口縁にパッキンを装着した状態の断面図、図７は容器本体側に係合凸部を形成し、パッキン側に係合凹部を形成した実施例の説明図である。
上記各図において、符号の１は、樹脂製の容器本体、２はこの容器本体１の上部に形成された開口部、３はこの開口部２の上口縁、４は上口縁３の外周面に形成されたなだらかな窪みから成る係合凹部、５は容器本体１の外周面に形成されたスクリューねじである。
【００１６】
６は前記上口縁３に被せるようにして装着されたパッキンであって、このパッキン６は、図３乃至図５に示すように、軟質の合成樹脂成形品であって、断面逆Ｕ字状を呈していて、上口縁嵌合溝７が外周壁８と内周壁９間に、下から上向きに形成されていると共に、外周壁８の裏面にはなだらかな隆起から成る係合凸部１０が形成されていて、前記係合凹部４に係合し、内周壁９の下端側の裏面には、傾斜面１１が形成されている。
なお、前記係合凹部４と係合凸部１０の関係は、図７に示すように、容器本体１側に係合凸部１０を形成し、パッキン６側に係合凹部４を形成しても作用効果は同じであるため、この係合凹部４と係合凸部１０は、設計に際して任意に決定することができる。
【００１７】
１２はキャップであって、このキャップ１２のスカート部１３の内周面には、前記スクリューねじ５に螺合自在のキャップ側スクリューねじ１４が形成されていると共に、キャップ１２の内部には、前記スカート部１３の内面との間に空間１５を空けて円環状のシール壁１６が下向きに形成されている。また、このシール壁１６の下端側の裏面には、傾斜面１７が形成され、かつ空間１５の天壁面１８には天壁シール面１９が形成されている。
２０はキャップ１３に形成された注出口、２１は開閉自在に注出口２０に装着された蓋、２２は蓋２１をキャップ１２に結んでいる紐バンドである。
【００１８】
本考案に係る容器本体１及びパッキン６、キャップ１２は以上の如き構成から成り、先ず、図６に示すように、容器本体１の上口縁３の部分に、上方から被せるようにしてパッキン６の嵌合溝７を嵌合する。このようにして、上口縁３にパッキン６を装着すると、パッキン６は、外周壁８の裏面に形成された係合凸部１０（又は係合凹部４）が容器本体１側の係合凹部４（又は係合凸部１０）に係合して固定される。またパッキン６を上口縁３に装着するときに、内周壁９の長さと傾斜面１１の作用で、パッキン６を上口縁３の内面３ａにスムーズに嵌入することができる。
【００１９】
キャップ１２を取り外した状態の容器本体１の上口縁３には、図６に示すようにパッキン６が装着されたままとなり、この上口縁３の部分及びパッキン６を洗浄したりする際は、図６一点鎖線で示すように、内周壁９の先端に指先を掛け、ここを上方にめくるようにして引き上げると、内周壁９が少しめくれ、パッキン６を簡単に上口縁３から取り外すことができる。なお、パッキン６の傾斜面１１は、パッキン６を上口縁３に装着するときに、前記のようにスムーズに上口縁３が嵌合溝７内に入り込むのを助けるが、図６のように指を掛けるときに、内周壁９の先が上口縁３の内周面３ａより少し浮いた状態となるため、指を掛け易いという作用効果もある。
【００２０】
次に、キャップ１２で容器本体１の開口部２を密封した状態を図１、図２に示す。この状態において、キャップ１２側のシール壁１６の外周面１６ａは、パッキン６の内周壁９の内周面９ａに密着し、パッキン６の上端面６ａは空間１５の天壁シール面１９に密着している。
但し、空間１５内において、パッキン６の外周壁８の外周面８ａとスカート部１３の内周面１３ａ間には空隙１５ａが形成されていて、この空隙１５ａは、キャップ１２を回転したり、取り外すときに、パッキン６がキャップ１２と一緒に回転したり、取れたりするのを防止する。
なお、キャップ１２側のシール壁１６の下端の外周面に形成された傾斜面１７は、シール壁１６がスムーズにパッキン６の内周壁９内にすべり込むのを助けている。
【００２１】
本考案に係る容器は以上の如きシール機構から成り、シール性能の向上に併せて、簡単にパッキン６を容器本体１の上口縁３から取り外して洗浄等を行うことができるため、常に清潔な状態で容器を用いることができる。
なお、本考案に係る容器の形態、用途等は問わない。そして、容器本体１及びキャップ１２は、双方又は一方がガラス又は木製でも適用が可能であるが、パッキン６は、弾性を有する樹脂或いはゴム等であって、柔軟性を有することが必要である。
【図面の簡単な説明】
【００２２】
【図１】本考案に係る容器の断面図
【図２】容器本体とキャップ及びパッキンの状態を示す断面図
【図３】パッキンの平面図
【図４】パッキンの下面図
【図５】Ａ−Ａ´線断面図
【図６】容器本体の口縁にパッキンを装着した状態の説明図
【図７】容器本体側に係合凸部を形成し、パッキン側に係合凹部を形成した実施例の説明図
【符号の説明】
【００２３】
１  容器本体
３  上口縁
４  係合凹部
６  パッキン
７  嵌合溝
８  外周壁
９  内周壁
１０  係合凸部
１２  キャップ
１３  スカート部
１５  空間
１６  シール壁
【図１】
0003115661.tif 000003
【図２】
0003115661.tif 000004
【図３】
0003115661.tif 000005
【図４】
0003115661.tif 000006
【図５】
0003115661.tif 000007
【図６】
0003115661.tif 000008
【図７】
0003115661.tif 000009